(57)【特許請求の範囲】
【請求項１】
貯湯タンクの温水を浴槽に供給する第１湯はり回路と、
該貯湯タンクの温水と給水とを熱交換させ、給水を間接的に加熱し給湯を生成する給湯用熱交換器と、
を備える電気給湯機であって、
前記第１湯はり回路と並行し、前記給湯用熱交換器で生成した給湯を前記浴槽に供給する第２湯はり回路を備え、
前記第１湯はり回路と前記第２湯はり回路とを併用して前記浴槽に湯はりする
ことを特徴とする電気給湯機。
【請求項２】
前記第１湯はり回路を流れ前記浴槽に向かう温水に、減圧弁を経由した給水を混合すると共に、
該減圧弁を経由しない給水を前記給湯用熱交換器に供給するように構成した
ことを特徴とする請求項１に記載の電気給湯機。
【請求項３】
前記第２湯はり回路による前記浴槽への給湯の供給運転を、前記貯湯タンクの残湯量に応じて制限する運転制限手段を備える
ことを特徴とする請求項１又は請求項２に記載の電気給湯機。
【請求項４】
前記第１湯はり回路から前記浴槽に供給される温水の第１設定温度と、前記給湯用熱交換器において生成する給湯の第２設定温度とが異なる場合、
前記第２湯はり回路から前記浴槽に供給される給湯の温度が、前記第１設定温度となるように制御する温度制御手段を備える
ことを特徴とする請求項１から請求項３のいずれか１項に記載の電気給湯機。
【請求項５】
前記第１湯はり回路による前記浴槽への温水の供給運転と、前記第２湯はり回路による前記浴槽への給湯の供給運転とを切り替える運転切替手段を備える
ことを特徴とする請求項１から請求項４のいずれか１項に記載の電気給湯機。
【請求項６】
前記第１湯はり回路による前記浴槽への温水の供給運転と、前記第２湯はり回路による前記浴槽への給湯の供給運転とが同時に行われている場合において、
外部から給湯要求がなされたとき、
前記第２湯はり回路による前記浴槽への給湯の供給運転を停止し、給湯が外部に供給されるように切り替える運転切替手段を備える
ことを特徴とする請求項１から請求項４のいずれか１項に記載の電気給湯機。
【請求項７】
前記第１湯はり回路による前記浴槽への温水の供給運転と、前記第２湯はり回路による前記浴槽への給湯の供給運転とを同時に行う第１モードと、
前記第１湯はり回路による前記浴槽への温水の供給運転のみを行う第２モードと、
を切り替える運転切替手段を備える
ことを特徴とする請求項１から請求項４のいずれか１項に記載の電気給湯機。
【発明の詳細な説明】
【技術分野】
【０００１】
本発明は、電気給湯機に関し、特に、浴槽の湯はりに要する時間を大幅に短縮することができる電気給湯機に関するものである。
【背景技術】
【０００２】
従来の電気給湯機として、例えば、特許文献１に開示されるように、貯湯タンクの温水を浴槽に供給する第１湯はり回路を備えるとともに、該貯湯タンクの温水により給水を間接的に加熱する給湯用熱交換器を備えるものがある。
【０００３】
この電気給湯機は、給水配管の水道水を貯湯タンクの温水により間接的に加熱する給湯用熱交換器を設け、給湯は、タンク上部の取出配管から高温水を循環ポンプにて導出し、給湯用熱交換器の１次側を通してタンク下部へ返還させ、この給湯用熱交換器の２次側に水道水を通し所定の温度に加熱することにより行うようにしている。
【０００４】
【特許文献１】特開２００７−４０５６６号公報
【発明の開示】
【発明が解決しようとする課題】
【０００５】
しかしながら、従来の電気給湯機において、浴槽の湯はりは、貯湯タンクの温水を浴槽に供給する第１湯はり回路の単独運転にて行われている。このため、従来の電気給湯機では、例えば、４２℃・２００Ｌの湯はりで約２０分の比較的長い時間を必要としている。
【０００６】
そこで、本発明は、浴槽の湯はりに要する時間を大幅に短縮することが可能な電気給湯機を提供することを課題とする。
【課題を解決するための手段】
【０００７】
前記課題を解決するための手段として、本発明は、貯湯タンクの温水を浴槽に供給する第１湯はり回路と、該貯湯タンクの温水と給水とを熱交換させ、給水を間接的に加熱し給湯を生成する給湯用熱交換器と、を備える電気給湯機であって、前記第１湯はり回路と並行し、前記給湯用熱交換器で生成した給湯を前記浴槽に供給する第２湯はり回路を備えることを特徴とする電気給湯機である。
【０００８】
このような電気給湯機によれば、第２湯はり回路により、給湯用熱交換器で生成した給湯を浴槽に供給することができる。すなわち、第１湯はり回路により、貯湯タンクの温水を浴槽に供給しつつ、第２湯はり回路により、給湯用熱交換器で生成した給湯を浴槽に供給することができる。
これにより、浴槽の湯はりに要する時間を大幅に短縮することができる。
【発明の効果】
【０００９】
本発明によれば、浴槽の湯はりに要する時間を大幅に短縮することが可能な電気給湯機を提供することができる。
【発明を実施するための最良の形態】
【００１０】
以下、本発明の一実施形態を、図１から図６を参照して説明する。
【００１１】
≪電気給湯機の構成≫
図１に示すように、本実施形態に係る電気給湯機１は、温水を貯溜する貯湯タンク１０と、貯湯タンク１０の水を加熱するヒートポンプ回路２０と、給水（水道水）が流れる給水回路３０と、貯湯タンク１０の温水を浴槽Ｂに供給する第１湯はり回路４０と、貯湯タンク１０の温水と給水とを熱交換させ、給水を間接的に加熱し給湯を生成する給湯用熱交換器５０と、給湯が流れる給湯回路６０と、浴槽Ｂに張られたふろ水を追い焚きするための追い焚き回路７０と、湯はり等するために人が操作する操作部８０と、これらを制御するコントローラ９０（制御装置）と、を備えている。
【００１２】
＜貯湯タンク＞
貯湯タンク１０には、給水回路３０から給水が導入されるようなっている。そして、貯湯タンク１０内の水は、ヒートポンプ回路２０により加熱され、温水となった後、貯湯タンク１０に貯溜されるようなっている。貯湯タンク１０における水（温水）の温度は、鉛直上方になるほど高く、例えば、貯湯タンク１０の上部で約９０℃、中間部で約５０℃となっている。なお、中間部における温水を、中温水という。
【００１３】
貯湯タンク１０には、鉛直方向において、複数の温度センサ１１が配置されており（図１では４つ）、温度センサ１１は、貯湯タンク１０内の水（温水）の温度を検出し、コントローラ９０に出力するようになっている。
【００１４】
＜ヒートポンプ回路＞
ヒートポンプ回路２０は、貯湯タンク１０の水を加熱する回路であって、ヒートポンプ２１と、貯湯タンク１０の水を循環させる循環ポンプ２６とを備えている。
ヒートポンプ２１は、二酸化炭素等の冷媒を圧縮、膨張させながら循環させる装置（熱ポンプ）であって、圧縮されることで温度上昇した冷媒によって循環する貯湯タンク１０の水を加熱する装置である。このようなヒートポンプ２１は、冷媒を圧縮する圧縮機２２と、圧縮されることで昇温した冷媒と循環する貯湯タンク１０の水との間で熱交換させ、循環する貯湯タンク１０の水を加熱する熱交換器２３と、冷媒の圧力を減圧する調圧弁２４と、減圧されたことで温度低下した冷媒に外気から熱を吸熱させる吸熱器２５と、を備えている。
【００１５】
一方、循環ポンプ２６が作動すると、貯湯タンク１０の下部の水が吸引され、熱交換器２３に圧送され、熱交換器２３において加熱された後、貯湯タンク１０の上部に戻されるようになっている。
【００１６】
＜給水回路＞
給水回路３０は、外部の給水源からの給水（水道水）が流れる回路である。給水は、給水配管３０ａから、配管３０ｂ、給水圧を減圧させる減圧弁３１、配管３０ｃを通って、貯湯タンク１０の下部に供給されるようになっている。
【００１７】
また、給水は、配管３０ｃの途中から、配管３０ｄを通って、第１湯はり回路４０の第２混合弁４２に供給されるようになっている。すなわち、第１湯はり回路４０を流れ、浴槽Ｂに向かう温水に、減圧弁３１を経由した給水が、第２混合弁４２において混合されるようになっている。
【００１８】
さらに、給水は、給水配管３０ａから、配管３０ｅを通って、給湯用熱交換器５０に供給されるようになっている。すなわち、減圧弁３１を経由しない給水が、給湯用熱交換器５０に供給されるように構成されている。これにより、後記する給湯機器６４から噴射する給湯の噴射圧が確保されるようになっている。
【００１９】
＜第１湯はり回路＞
第１湯はり回路４０は、貯湯タンク１０の温水を浴槽Ｂに供給し、浴槽Ｂを湯はりするための回路である。
貯湯タンク１０の上部の高温の温水は、配管４０ａを介して、第１混合弁４１に供給されるようになっている。貯湯タンク１０の中間部の中温の温水（中温水）は、配管４０ｂを介して、第１混合弁４１に供給されるようになっている。第１混合弁４１は、配管４０ａからの高温の温水と、配管４０ｂからの中温の温水とを、コントローラ９０からの指令に従った混合比で混合するようになっている。
【００２０】
第１混合弁４１で混合されることで生成した温水は、配管４０ｃを介して、第２混合弁４２に供給されるようになっている。第２混合弁４２は、配管４０ｃからの温水と、配管３０ｄからの給水とを、コントローラ９０からの指令に従った混合比で混合するようになっている。
【００２１】
第２混合弁４２で混合されることで生成した温水は、配管４０ｄ、常閉型の開閉弁４３、配管４０ｅを介して、浴槽Ｂに供給されるようになっている。
開閉弁４３は、第１湯はり回路４０による湯はり時に、コントローラ９０により開かれる設定となっている。そして、開閉弁４３が開かれると、所定の圧力の給水が、配管３０ｃを介して、貯湯タンク１０の下部に導入され、これにより、貯湯タンク１０の上部及び中間部の温水が押し出され、次いで、第１混合弁４１、第２混合弁４２で順に混合されることで生成した温水が、浴槽Ｂに供給されるようになっている。
【００２２】
また、第１混合弁４１、第２混合弁４２で順に混合されることで生成した温水の一部は、配管７０ａ、追い焚き時に作動するポンプ７１、配管７０ｂ、方向切替弁７２、配管７０ｄ、配管７０ｃの一部を通って、浴槽Ｂに供給されるようになっている。
すなわち、第１混合弁４１、第２混合弁４２で順に混合されることで生成した温水は、開閉弁４３の下流で、二股に分岐し、２系統で浴槽Ｂに供給されるようになっている。これにより、湯はり時間の短縮化が図られている。
【００２３】
また、温度センサ４４が、配管４０ｅに配置されており、温度センサ４４は、浴槽Ｂに向かう温水の温度（実測温度Ｔ１１）を検出し、コントローラ９０に出力するようになっている。そして、コントローラ９０は、温度センサ４４が検出する温水の実測温度Ｔ１１が、操作部８０で設定されたふろ水温度Ｔ１（第１設定温度）となるように、第１混合弁４１及び第２混合弁４２における混合比を、制御するようになっている。
【００２４】
＜給湯用熱交換器＞
給湯用熱交換器５０は、貯湯タンク１０の温水と給水とを熱交換させ、給水を間接的に加熱し給湯を生成する機器である。
具体的には、配管３０ｅから給湯用熱交換器５０に導入される給水は、配管４０ａの途中から、配管５０ａを介して導入される貯湯タンク１０の高温の温水により加熱され、給湯を生成するようになっている。熱交換後の貯湯タンク１０からの温水は、配管５０ｂ、給湯要求があった場合に作動するポンプ５１、配管５０ｃ、配管３０ｃの一部を通って、貯湯タンク１０の下部に戻されるようになっている。
【００２５】
ポンプ５１は、図示しないインバータ回路を介して、コントローラ９０により、回転速度が自在に制御されるように構成されている。そして、後記する温度センサ６１によって検出される給湯の温度（実測給湯温度Ｔ１２）が、操作部８０で設定された給湯温度Ｔ２（第２設定温度）となるように、コントローラ９０はポンプ５１を制御するようになっている。すなわち、温度センサ６１が検出する実測給湯温度Ｔ１２が、設定された給湯温度Ｔ２よりも低い場合、コントローラ９０はポンプ５１の回転速度を高めるように構成されている。
【００２６】
＜給湯回路＞
給湯回路６０は、給湯用熱交換器５０で生成した給湯が流れる回路である。
給湯用熱交換器５０で生成した給湯は、配管６０ａ、流量センサ６２、配管６０ｂ、給湯要求がある場合に開かれるコック６３、配管６０ｃを流れ、シャワー等の給湯機器６４から噴出されるようになっている。流量センサ６２は、給湯機器６４に向かう給湯の流量を検出し、コントローラ９０に出力するようになっている。
【００２７】
すなわち、コントローラ９０は、コック６３が開かれ、流量センサ６２を介して、給湯機器６４に向かう給湯の流量が０（又は０に近い所定流量）よりも大きいことを検出した場合、コントローラ９０は、給湯機器６４（外部）から給湯要求があったと判定するように構成されている。
【００２８】
温度センサ６１は、給湯用熱交換器５０から吐出された直後の実測給湯温度Ｔ１２を検出するように、配管６０ａに配置されると共に、検出した実測給湯温度Ｔ１２をコントローラ９０に出力するようになっている。
【００２９】
また、給湯は、配管６０ａの途中から、配管６０ｄ、減圧弁６５、配管６０ｅ、急いで湯はりする場合にコントローラ９０により開かれる常閉型の開閉弁６６、配管６０ｆを通って、配管７０ｃに供給されるようになっている。すなわち、給湯用熱交換器５０で給湯が生成している場合において、開閉弁６６が開かれると、配管６０ｄ、減圧弁６５、配管６０ｅ、開閉弁６６、配管６０ｆ、配管７０ｃを通って、給湯が浴槽Ｂに供給されるようになっている。
つまり、本実施形態において、第１湯はり回路４０と並行し、給湯用熱交換器５０で生成した給湯を浴槽Ｂに供給する第２湯はり回路は、配管６０ｄと、減圧弁６５と、配管６０ｅと、開閉弁６６と、配管６０ｆと、配管７０ｃの一部とを備えて構成されている。
【００３０】
＜追い焚き回路＞
追い焚き回路７０は、浴槽Ｂに張られたふろ水を追い焚きするための回路である。
追い焚き時において、ふろ水は、配管４０ｅの一部、配管７０ａ、追い焚き時にコントローラ９０の指令により作動するポンプ７１、方向切替弁７２、その一部が貯湯タンク１０の内上部を経由する配管７０ｃを通って、浴槽Ｂに戻るようになっている。貯湯タンク１０の内上部を経由する配管７０ｃの部分は、熱交換部７３として構成されており、熱交換部７３を経由するふろ水が、貯湯タンク１０の高温の温水により加熱され、その結果、ふろ水が追い焚きされるようになっている。
【００３１】
＜操作部＞
操作部８０は、浴室やキッチンに配置され、湯はり等をするため人が操作する部分である。そして、操作部８０は、湯はりボタン８１と、急ぎボタン８２と、追い焚きボタン８３と、温調ボタン８４、８５と、液晶パネル８６とを備えている。
【００３２】
湯はりボタン８１は、配管６０ｄ、６０ｅ、６０ｆ等から構成される第２湯はり回路を使用せずに、第１湯はり回路７０のみを使用して、通常に湯はりをする場合に押されるスイッチである。
急ぎボタン８２は、急いで湯はりするために、第１湯はり回路７０による湯はりと同時に、配管６０ｄ等から構成される第２湯はり回路を使用して、給湯を浴槽Ｂに供給する場合に押されるスイッチである。
追い焚きボタン８３は、追い焚き回路７０により、ふろ水を追い焚きする場合に押されるスイッチである。
【００３３】
温調ボタン８４は、第１湯はり回路７０から浴槽Ｂに供給される温水（ふろ水）の温度（ふろ水温度Ｔ１、第２設定温度）を設定するためのスイッチである。
温調ボタン８５は、給湯用熱交換器５０で生成する給湯の温度（給湯温度Ｔ２、第２設定温度）を設定するためのスイッチである。
液晶パネル８６は、設定されたふろ水温度Ｔ１と、給湯温度Ｔ２とを表示する部分である。
【００３４】
また、操作部８０は、コントローラ９０と接続されており、コントローラ９０は、湯はりボタン８１、急ぎボタン８２及び追い焚きボタン８３のＯＮ／ＯＦＦ信号と、設定されたふろ水温度Ｔ１、給湯温度Ｔ２とを検知するようになっている。
【００３５】
＜コントローラ＞
コントローラ９０は、電気給湯機１を電子制御する制御装置であり、ＣＰＵ、ＲＯＭ、ＲＡＭ、各種インタフェイス、電子回路などを含んで構成されており、その内部に記憶されたプログラムに従って、各種機器を制御し、各種処理を実行するようになっている。
【００３６】
≪電気給湯機の動作・効果≫
次に、電気給湯機１の動作及び効果について説明する。
【００３７】
＜急いで湯はり−第１湯はり回路と第２湯はり回路の併用＞
図２を参照して、急ぎボタン８２が押され、第１湯はり回路４０と、配管６０ｄ等から構成される第２湯はり回路とを併用して、浴槽Ｂに急いで湯はりする場合を説明する。
【００３８】
［第１湯はり回路による湯はり］
急ぎボタン８２のＯＮ信号を検知したコントローラ９０は、開閉弁４３を開く。そうすると、減圧弁３１を経由した給水が、貯湯タンク１０の下部に入り、貯湯タンク１０の温水が配管４０ａ、４０ｂから押し出される。そして、第１混合弁４１、第２混合弁４２において、温度センサ４４が検出する温水の実測温度Ｔ１１が、操作部８０で設定されたふろ水温度Ｔ１（第１設定温度）となるように、混合された後、浴槽Ｂに供給される。
【００３９】
［第２湯はり回路による給湯の供給］
これに並行して、コントローラ９０は、開閉弁６６を開き、ポンプ５１を作動させる。そうすると、給湯用熱交換器５０で給水が加熱され、給湯が生成し、給湯は、配管６０ｄ、６０ｅ、６０ｆ、配管７０ｃの一部を通って、浴槽Ｂに供給される。
【００４０】
このようにして、第１湯はり回路４０により、貯湯タンク１０の温水を浴槽Ｂに湯はりしつつ、給湯用熱交換器５０で生成した給湯を浴槽Ｂに供給するので、浴槽Ｂの湯はりに要する時間を大幅に短縮することができる。具体的に例えば、４２℃・２００Ｌの湯はりを、１０分以下の短時間で行うことができる。
【００４１】
[第２湯はり回路による浴槽Ｂへの給湯生成の制限]
第１湯はり回路４０と第２湯はり回路の併用時において、貯湯タンク１０の温水の残量が所定量以下となった場合、コントローラ９０（運転制限手段）は、ポンプ５１を停止し、開閉弁６６を閉じ、給湯用の第２湯はり回路による浴槽Ｂへの給湯の供給運転を停止する。すなわち、コントローラ９０は、第２湯はり回路による浴槽Ｂへの給湯の供給運転を、貯湯タンク１０の残湯量に応じて制限する。
さらに説明すると、給湯用熱交換器５０で給湯を生成するべく、ポンプ５１を作動させると、貯湯タンク１０の温水が減少する。よって、湯はり後に給湯機器６４から給湯要求があったとしても、給湯用熱交換器５０で給湯を生成できるように、第１湯はり回路４０と第２湯はり回路の併用時において、貯湯タンク１０の温水の残量が所定量以下となった場合、給湯用の第２湯はり回路による浴槽Ｂへの給湯の供給運転を停止する。
なお、貯湯タンク１０の温水が導出されると、貯湯タンク１０内の低温の水は上方に向かって徐々に増加し、温水は減少するため、貯湯タンク１０の温水の残量は、貯湯タンク１０に鉛直方向で配置された複数の温度センサ１１により推定される。
【００４２】
［給湯温度の制御］
また、コントローラ９０（温度制御手段）は、操作部８０で設定されたふろ水温度Ｔ１（第１湯はり回路４０から浴槽Ｂに供給される温水の第１設定温度）と、給湯用熱交換器５０の設定された給湯温度Ｔ２（第２設定温度）とが、異なる場合、第２湯はり回路から浴槽Ｂに供給される実測給湯温度Ｔ１２が、設定されたふろ水温度Ｔ１となるように、ポンプ５１の回転速度を制御する。
具体的には、設定された給湯温度Ｔ２が、設定されたふろ水温度Ｔ１よりも高い場合、コントローラ９０はポンプ５１の回転速度を低下させる。
【００４３】
＜第１湯はり回路と第２湯はり回路の併用時に、給湯要求あり＞
次に、図３を参照して、第１湯はり回路４０と第２湯はり回路とを同時に利用して湯はりしている場合に、コック６３が開かれ、給湯機器６４から給湯要求があったときを説明する。
【００４４】
流量センサ６２を介して、給湯が給湯機器６４に向かって流れ、外部から給湯要求があったことを検知したコントローラ９０（運転切替手段）は、開閉弁６６を閉じる。これにより、第２湯はり回路による給湯の浴槽Ｂへの供給運転は停止される。同時に、給湯が給湯機器６４（外部）に供給されるように切り替えられる。その結果、浴槽Ｂの湯はりを継続しつつ、給湯機器６４において給湯の流量が不足することを防止できる。
【００４５】
＜第１湯はり回路のみによる湯はり＞
次に、図４を参照して、湯はりボタン８１が押され、第１湯はり回路４０のみを使用して、通常に湯はりする場合を説明する。
【００４６】
湯はりボタン８１のＯＮ信号を検知したコントローラ９０は、開閉弁６６を閉じたまま、開閉弁４３を開く。そうすると、減圧弁３１を経由した給水が、貯湯タンク１０の下部に入り、貯湯タンク１０の温水が配管４０ａ、４０ｂから押し出される。そして、第１混合弁４１、第２混合弁４２において、温度センサ４４が検出する温水の実測温度Ｔ１１が、操作部８０で設定されたふろ水温度Ｔ１（第１設定温度）となるように、混合された後、浴槽Ｂに供給される。
【００４７】
すなわち、コントローラ９０（運転切替手段）は、湯はりボタン８１及び急ぎボタン８２のＯＮ／ＯＦＦ信号に対応して、第１湯はり回路４０による浴槽Ｂへの温水の供給運転、及び、第２湯はり回路による浴槽Ｂへの給湯の供給運転を同時に行う第１モードと、第１湯はり回路４０のみによる浴槽Ｂへの温水の供給運転のみを行う第２モードと、切り替える。
【００４８】
＜給湯要求のみ＞
次に、図５を参照して、湯はりボタン８１及び急ぎボタン８２が押されていない場合において、コック６３が開かれ、給湯機器６４から給湯要求があったときを説明する。
【００４９】
流量センサ６２を介して、給湯要求があったことを検知したコントローラ９０は、ポンプ５１を作動させる。これにより、給湯用熱交換器５０において、給水が加熱され給湯が生成し、給湯は配管６０ａ等を介して、給湯機器６４から噴出される。
この場合において、コントローラ９０は、現在の実測給湯温度Ｔ１２が、設定された給湯温度Ｔ２となるように、ポンプ５１の回転速度を制御する。
【００５０】
＜追い焚き＞
次に、図６を参照して、追い焚きボタン８３が押され、浴槽Ｂに貯溜されたふろ水を追い焚きする場合を説明する。
【００５１】
追い焚きボタン８３のＯＮ信号を検知したコントローラ９０は、ポンプ７１を作動させると共に、配管７０ｂと配管７０ｃとが連通するように方向切替弁７２を制御する。そうすると、ふろ水は、貯湯タンク１０内の熱交換部７３を経由するように循環し、熱交換部７３を通る際に加熱される。その結果、追い焚きされる。
【００５２】
以上、本発明の好適な実施形態を説明したが、前記実施形態に限定されず、本発明の趣旨を逸脱しない範囲で、適宜に変更してもよい。
前記した実施形態では、第２湯はり回路を構成する配管６０ｆが、配管７０ｄに合流する構成を例示したが、その他例えば、配管６０ｆが浴槽Ｂに直接接続された構成でもよいい。
【図面の簡単な説明】
【００５３】
【図１】本実施形態に係る電気給湯機の構成を示す図である。
【図２】急ぎボタンが押され、第１湯はり回路と第２湯はり回路とを併用して、湯はりしている状況を示す図である。
【図３】第１湯はり回路と第２湯はり回路とを併用時に、外部から給湯要求があった状況を示す図である。
【図４】湯はりボタンが押され、第１湯はり回路のみを使用して、通常に湯はりしている状況を示す図である。
【図５】外部から給湯要求のみがあった状況を示す図である。
【図６】追い焚き状況を示す図である。
【符号の説明】
【００５４】
１      電気給湯機
１０    貯湯タンク
２０    ヒートポンプ回路
２６    循環ポンプ
３０ａ  給水配管
３１、６６  減圧弁
４０    第１湯はり回路
５０    給湯用熱交換器
６０ｄ〜６０ｆ  配管（第２湯はり回路）
８０    操作部
８１    湯はりボタン
８２    急ぎボタン
９０    コントローラ
Ｂ      浴槽
Ｔ１    ふろ水温度（第１設定温度）
Ｔ２    給湯温度（第２設定温度）
Ｔ１１  現在の温水（ふろ水）の実測温度
Ｔ１２  現在の実測給湯温度
【図１】
0004990094.tif 000002
【図２】
0004990094.tif 000003
【図３】
0004990094.tif 000004
【図４】
0004990094.tif 000005
【図５】
0004990094.tif 000006
【図６】
0004990094.tif 000007